(57)【要約】      （修正有）【課題】多重織布を凹凸波状で伸縮特性を容易に付与する事ができ、保温性、軽量、取扱いの良い伝導熱を遮断する資材を接合し、効率よく製造する事ができる多重織凹凸波状布伝導熱遮断積層材を提供する。【解決手段】多重織の縦横組織中に挿入した熱収縮弾性糸が熱処理によって収縮した弾性糸の接結によって凹凸の畝が波状にできる工程と熱伝動を遮断する目的のため、この波状に製作した多重織布の表裏両面或いは片面に合成樹脂系フイルム、綿状の断熱材、または合成繊維糸、紡績糸の編織布を全面接着する工程とで出来る多重織凹凸波状布熱伝導遮断積層材である。 【選択図】図２
0003145065.tif 000002
【実用新案登録請求の範囲】
【請求項１】
経糸と緯糸より構成された多重織物状の中へ収縮性弾性糸を目的の凹凸波状に形成するため挿入する織物工程とテンションを掛けずに熱処理する工程が施され、前記弾性糸の熱収縮により多重織物生地は収縮され、該多重織物生地が凹凸波状のうねり部が形成されている伸縮性生地からなる熱遮断積層材。
【請求項２】
経糸非弾性糸を5本〜10本並べるのに対し1本〜５本の割合で平行して並べ、その並べた経糸の密度は１ｃｍの巾に5本〜2５である。この経糸の挿入に対し正方形を描く様に緯糸を挿入して織り、この緯糸の挿入密度は１ｃｍの巾に対し4本〜２０本であるが、横方向の収縮性弾性糸の挿入は非収縮糸を1本に対し１本行う、或いは非収縮糸2本〜１０本に対し1本の熱収縮性弾性糸を挿入して織る工程があり、この熱収縮弾性糸の挿入は該多重織工程の経糸と横糸が交差する部分に行い、弾性糸の収縮力によって非収縮織部にテンションがかかり凹凸波形が出来、熱処理によって収縮する弾性糸の働きは織り生地が凹凸波形状に均一な形状が派生しない様に設計した熱遮断積層材。
【請求項３】
前記熱収縮弾性糸がポリウレタン弾性糸、或いはポリウレタン弾性糸と紡績糸を撚糸した糸、またはポリウレタン弾性糸に合成繊維フィラメントを巻きつけた糸を含んで構成されていることを特徴とする請求項１〜２のいずれか１項に記載の熱遮断積層材。
【請求項４】
該多重織凹凸波状布帛が常に平面を維持する事がなく、大きく波がうねる様な
状態となる目的から、伸縮弾性糸には加熱後収縮しても、弾力性が失われない様加熱条件は125度Ｃ以下で行う請求項１記載の熱遮断積層材。
【請求項５】
該多重織凹凸波状布帛の凸波形の中に綿を挿入するために凹凸波形の底部面に綿層を張り合わせ、波形の圧縮による変形を防止し回復性と凹凸波形の安定性を保つ請求項１記載の熱遮断積層材。
【請求項６】
前記の凹凸波状の布帛は高温、低温の容器からの放熱を遮断し、該凹凸波状布の裏面にポリウレタンフィルムを融着、或いは合成樹脂系フイルムを接着し、その他耐熱性の合成繊維糸編織布の防水加工した布帛を接着し、更に熱伝導遮断の効果増強のために、アルミニュウム微粉末のコーテングしたフイルムを使う請求項２記載の熱遮断積層材。
【考案の詳細な説明】
【技術分野】
【０００１】
本考案は、従来一般に製造している布帛に用いられている機械は同一種類であるが、特に一般が用いる場合に、熱い容器の中に入っている熱が逃げない様に、あるいは外部から低い温度が伝わりにくくするための熱伝導遮断用品として活用するために多重織凹凸波状に製造した布と熱伝動遮断材を複合した製品である
【背景技術】
【０００２】
従来より、使用する保温布帛として、以下のようなものが知られている。
【０００３】
（ｉ）太い羊毛糸で織成されてなる平織地に起毛加工を施してなる立毛パイル布、（ii）合成繊維の羊毛風糸で織成されてなる平織地に起毛加工を施してなる毛布形式布帛、（iii ）片面に全面に渡り均一に切りそろえる（以下シャーリングという）カットパイルを設けたラッセル編地二枚を、ラッセル編地同士が当接するようにして貼合してなる、いわゆる片面パイル毛布、（iv）ラッセル編地の両面にカットパイルを設け、このカットパイルをシャーリングしてなる、いわゆるニューマイヤー毛布調布帛、等が知られている。しかしながら、後述する例からも明らかなように、これらの毛布調布帛はいずれも表面のパイルは熱い容器に直接触れるとパイルが圧縮され縮絨状になり、一般用の伝熱遮断保温材としては活用されない、或いはプラスチック発砲剤を断熱用いる場合に防寒寝具素材として肌に触れる場合には感触が悪く寝具の部類には適さない。これらの欠点を改良した伝導熱遮断効果を目的とした多重織凹凸波状布熱伝動遮断積層材が求められていた。
【０００４】
本考案は伸縮性織物に関し、より詳細には二重或いは三重織物に凹凸状熱伝導遮断特性が付与された伸縮性生地と伝導熱を遮断する材料を接合した複合積層材である。
【０００５】
本考案者は暖かい飲料容器を包んで熱伝動遮断が良い保温材料を開発すべく、種々検討していたところ、基本的に織組織を基本にした凹凸状の物であって、使用の繊維材量を軽く、そして体積当りの空気含量が多く、熱伝導遮断効果      を最大にする目的から凹凸波状に形成させる加工技術を完成させた。該多重織凹凸波状熱伝導遮断用の布帛は、従来の布帛に比べて、熱伝動遮断効果が優れ
ていることを見出した。その試験結果は従来首に巻くマフラーと呼ばれるもの
は外部からの低い気温が身体の首表面に伝わりにくくするものと比較すると３０％放熱時間を要した。このような知見に基づくものである。
【０００６】
一方低い外部の温度によって冷却しない暖かい飲み物の入った従来の容器を保温する、いわゆる冷却熱伝導を遮断する目的から凹凸状の織物の畝内部に綿を挿入した布帛の両面に、更に熱伝導を遮断するクロス或いはシートを張り合わせた物である。
【特許文献１】実用新案登録第３１０４２４２号公報
【考案の開示】
【考案が解決しようとする課題】
【０００７】
本考案は、上記課題に鑑みなされたものであって、製織された生地を円筒形のものを包む目的から、凹凸の波形が保持するように優れた伸縮特性を容易に付与する事が出来、熱伝導遮断性、軽量、通気性にも優れ、しかも、効率よく製造する事が出来、さまざまな用途に利用する事が出来る他多重織凹凸状布伝導熱遮断積層材を提供することを目的としている。
【課題を解決するための手段】
【０００８】
すなわち上記目的を達成するために本考案に係る伸縮性凹凸状生地（図１）は先行技術の実用新案登録第３１０４２４２号公報にその製造方法を述べている。重ねて述べると、伸縮性の糸と非伸縮性の糸を経糸と横挿入の緯糸よりなる平組織であるが、加熱により収縮する合成繊維糸の高収縮弾性糸の使用本数、挿入方法に特色があり、非収縮弾性糸の経糸の挿入本数または、横糸挿入本数より少なくする本数の組織編成で構成される。該高収縮弾性糸の挿入方法は目的の製品凹凸波状布帛を製作するために、横挿入の場合には緯糸と完全に平行には挿入しない場合がある。織工程の後、加熱条件により高収縮弾性糸が織布を引き付けるように収縮張力を用いて波形の畝を形成する。これがこの考案の第一の特殊性である。この横挿入に用いる高収縮弾性糸は地の平組織を構成している経糸に絡む用に潜る方式を用いて、後工程で加熱のより収縮糸が収縮するとき、織り布に引張力が働き凹凸波状の多数の畝布を制作する。
【０００９】
上記凹凸波状布帛を制作する場合に挿入する高収縮弾性糸は、ポリウレタン弾性糸を用い構成されているので、例えば、ポリウレタン弾性糸、ポリウレタン弾性糸と紡績糸とを合撚した糸、ポリウレタン弾性糸にフィラメントを巻きつけた糸などが構成されているので、前記熱処理によって収縮が非常に大きく、熱収縮後の伸長率を大きくすることができ、また、特有の弾性特性により収縮させた生地を弱い力で大きく伸長させることが出来る一方、反発時の緩やかな締め付けることが出来るから、円筒形でない四角形あるいは多角形の暖かい飲み物容器をフィットさせる凹凸状熱伝動遮断の布帛を構成する生地を実現する事が出来る。
【００１０】
本考案は、織布が凹凸状に派生し、軽量な製品となり、円筒形保温容器式の熱伝動遮断材として取り扱い易く持ち運びするために、持つ指が熱湯容器に直接触れないように、一定の弾力性を与えている。その目的から凹凸波状の織布に用いる繊維素材は耐熱性の繊維を使用し、熱可塑性繊維は使わない、凹凸波状布の形成安定を保つために、収縮した弾性糸には第2次元の弾力性を与えている。この凹凸感を１０ｃｍ四角のなかに大小２〜８種類の変形した畝を制作する。そしてこの熱収縮の性能は３０〜１５０％の性能の合成繊維糸を編成して制作する。断熱性能を目的として冷却した盤状のものから放熱の冷却気を保存するために、本考案の熱伝導遮断の布帛で包む場合には、図３に示すように、この布帛の凹凸波状形を保ちながら凸部の底辺を冷却版に接触させなければならないので、布帛の伸縮性を１００％以上に製造している。
【００１１】
上記凹凸波状伝導熱遮断布は更に畝状に形成した凹凸部の凸の内部に綿を投入し接着する。綿が凸部の中に投入しているから、凸部の先端が熱容器に接触しても容易に圧縮されないで伝導熱遮断の効果がある。
【００１２】
また本考案に係る凹凸波状伝導熱遮断布を熱湯の入った容器を包むような形状で使う場合に、熱湯が外部に漏れなくするために、凹凸波状の底部面にポリウレタンフィルムを張り付ける、或いはその他の合成樹脂系フイルムを張り付ける。フイルム以外に耐熱性の合成繊維で制作した編織布の防水加工をした布帛を張り付ける。より熱伝導遮断の効果を増強するために、この張り付ける布帛の接着の反対外部面に軽合金微粉末のコーテングを行う。
【００１３】
また断熱効果を更に増強するための手段として、アルミニュウムのフイルムを凹凸波状布伝熱遮断材として使用する円筒状の最も外面に積層する（図５）。
【考案の効果】
【００１４】
本考案の最重要効果は空気の停滞性がよく、保温効果が優れている点である。
これは高密度の組織で製品を作らずに風合いの良い立毛状布帛より優れた製品を作ることである。この凹凸波状布熱伝導積層材は生活面で容易に取り扱うために、軽く、折り畳んで収納する事が出来るよう３００ｇ／平方メーター以下の重量に製造している。
【００１５】
本考案の複合織凹凸波状布にウレタンフイルムをラミネート加工を熱伝導遮断を目的として構成しているので、保温性及び保冷性を試験した。本試験は５００ｍｌの瓶での保温効果測定結果、ラミネート（ポリウレタンフイルム完全融着接合）加工した凹凸波状布はフイルムを外部に凹凸部を内部保温用の瓶に接して、水温を測定した。表１に示す如く、２種類の材料で覆った瓶の水温の低下は２時間で測定した。本考案の材料は他の一般的な保温材に比べ１２度ｃの保温効果を示した。この保温効果要素は空気の停滞性が良く、保温効果が優れていることを示す。
【００１６】
【表１】
0003145065.tif 000003
【００１７】
本考案の伝導熱遮断材保冷効果を下記の如く測定した。測定は本考案の材料と一般的な保温材の比較試験結果は表２に示す如く、測定開始後３０分で1.3度ｃ保冷の優れていることを示す。或いはこのラミネートをするフイルムの代替え品としてポリエチレン系、ポリエステル系、ポリビニールアルコール系、ポリアクリル系、などのフイルムを使う場合にも、本考案の効果目的は達成できる。
【００１８】
【表２】
0003145065.tif 000004
【考案を実施するための最良の形態】
【００１９】
以下本考案の実施の形態を図につき説明する（図6）。冷凍食品を購入して持ち運びする場合に冷却を避けるために用いる冷凍品買い物入れ袋の内装貼りである。            
【００２０】
該多重織凹凸波状模様は熱接触面全体に１０ｃｍ四角の中に２から８種類の形状の異なる凹凸を繰り返す。製品を大きく制作する場合、１０ｃｍ四角の中の変形凹凸模様を連続して繰り返すために、複合織製作中に横糸挿入時の緯糸本数より少なく高収縮弾性糸を挿入する。
高収縮弾性糸の完全な安定した収縮を与える為に織り上がり５０ｍの生地を加湿式の回転式加熱機に投入し、序熱５０〜６０度ｃ温度から急激な昇温をせず90度ｃまで３０〜４０分を要し、熱収縮弾性により多重織凹凸波状の発現した製品に弾性が残る様、更に高温の加熱処理を125度ｃまで２０〜３０分行う、凹凸布帛が細部に渡りクリンプ状の性能が残留する様に加工する。
【００２１】
以上述べた様に本考案による複合織凹凸波状布伝導熱遮断積層材は、立体的な製品を形成して耐圧縮弾性に対して優れた性能と伝導熱遮断性能を持っている。伝熱遮断性能を比較する場合に６０℃温水のペットボトルを本考案の材料を筒状に加工した中にいれて、入れない場合と比較した表３、冷却した茶をこの考案の先記に示した手段と同様に室温によってどのように冷却した飲み物の温度が維持できるか表３に示している。
【００２２】
【表３】
0003145065.tif 000005
【実施例】
【００２３】
本考案の用途は主に高温ペットボトル保温容器、自動車運転中の冷飲料ポット保温容器、防寒用足首飾り、足温器コタツ外装材、介護用尿汚れ防止ベッドカバーパット、ソファークッションカバー材、その他使用用途は多く、洗濯しても含水量は少なく、乾燥速度が速い事が本考案の重要な効果である。
【図面の簡単な説明】
【００２４】
【図１】多重織凹凸波状の布帛写真図
【図２】保温用の製品図
【図３】保温用ベッドカバー用裏面に綿を張ってある図
【図４】保温用飲物入れの図
【図５】内部凹凸波状布外装アルミホイル伝導熱遮断複合の図
【図６】冷凍品の買い物袋
【図１】
0003145065.tif 000006
【図２】
0003145065.tif 000007
【図３】
0003145065.tif 000008
【図４】
0003145065.tif 000009
【図５】
0003145065.tif 000010
【図６】
0003145065.tif 000011